【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
送信側と受信側との間にある再送ループに２以上の連続的な再送サブループが含まれている通信システムにおいて再送を実行する方法であって、
第１の送信機と、第２の送信機と、受信機とが含まれる前記再送ループにおいて、該受信機によってアクノレッジされることが期待されている次の順番のパケットユニットに関するシーケンス番号を示すステータス変数を搬送する信号を、ハンドオーバと関連して、前記第２の送信機により前記第１の送信機へと送信することを特徴とする方法。
【請求項２】
前記第２の送信機と前記受信機との間にあるチャネルについてハンドオーバを実行する際に、前記ステータス変数を搬送する前記信号を送信することを特徴とする請求項１に記載の方法。
【請求項３】
前記第２の送信機は、前記ステータス変数を送信する際に、停止を表す情報も前記第１の送信機へと送信することを特徴とする請求項１または２に記載の方法。
【請求項４】
前記第２の送信機は、該第２の送信機において前記受信機宛ての継続中のデータパケットが存在していないか、またはタイムアウトタイマーがすでにタイムアウトしているときに、停止を表す情報を送信することを特徴とする請求項１乃至３の何れかに記載の方法。
【請求項５】
前記第２の送信機において継続している前記受信機宛ての一以上のデータパケットは、前記ステータス変数を搬送する前記信号が送信される前に、前記受信機へと送信されることを特徴とする請求項１乃至４の何れかに記載の方法。
【請求項６】
前記ステータス変数を搬送する前記信号は、前記第２の送信機において前記受信機宛ての継続中のデータパケットが存在しなくなるか、またはタイムアウトタイマーがタイムアウトするまでは送信されないことを特徴とする請求項１乃至５の何れかに記載の方法。
【請求項７】
前記受信機によって前記第２の送信機へとアクノレッジされることが期待されている次の順番にあたるパケットユニットのシーケンス番号から、前記第１の送信機から前記第２の送信機へと初めて送信される次のパケットユニットのシーケンス番号までの範囲にあるパケットユニットの前記ステータス変数を、否定的なアクノレッジとして前記第１の送信機が解釈することを特徴とする請求項１乃至６の何れかに記載の方法。
【請求項８】
否定的にアクノレッジされたと解釈されたパケットユニットらを第３の送信機へと送信することを特徴とする請求項７に記載の方法。
【請求項９】
前記第２の送信機は、該第２送信機から初めて送信される次のパケットユニットのシーケンス番号を示すステータス変数を搬送する信号を送信することを特徴とする請求項１に記載の方法。
【請求項１０】
前記ステータス信号を搬送する前記信号は、前記第２の送信機と前記受信機との間にあるチャネルをハンドオーバする際に送信されることを特徴とする請求項９に記載の方法。
【請求項１１】
前記受信機によって前記第２の送信機へとアクノレッジされることが期待されている次の順番にあたるパケットユニットのシーケンス番号から、前記第２の送信機から前記受信機へと初めて送信される次のパケットユニットのシーケンス番号までの範囲にあるパケットユニットの前記ステータス変数を、否定的なアクノレッジとして前記第１の送信機が解釈することを特徴とする請求項９または１０に記載の方法。
【請求項１２】
否定的にアクノレッジされたと解釈されたパケットユニットらを第３の送信機へと送信することを特徴とする請求項９乃至１１の何れかに記載の方法。
【請求項１３】
前記受信機は、該受信機の受信ステータスを搬送する一以上の信号を第３の送信機へと送信することを特徴とする請求項９乃至１２の何れかに記載の方法。
【請求項１４】
前記第３の送信機は、前記受信機の受信ステータスに応じて、該第3の送信機の送信ステータスを更新することを特徴とする請求項９乃至１３の何れかに記載の方法。
【請求項１５】
前記受信ステータスには、受信されることが期待されている次の順番のＰＵについてのシーケンス番号が含まれていることを特徴とする請求項９乃至１３の何れかに記載の方法。
【請求項１６】
前記第２の送信機と前記受信機との間にあるチャネルから、第３の送信機と前記受信機との間にあるチャネルへとコネクションがハンドオーバされることを特徴とする請求項１乃至１５の何れかに記載の方法。
【請求項１７】
前記チャネルは、ＨＳＤＰＡチャネルまたはＨＳ−ＤＳＣＨであることを特徴とする請求項２、１０または１６に記載の方法。
【請求項１８】
前記第３の送信機は、無線ネットワーク制御装置、ノードＢまたは基地局であることを特徴とする請求項１２乃至１５の何れかに記載の方法。
【請求項１９】
前記第２の送信機は、無線ネットワーク制御装置、ノードＢまたは基地局であることを特徴とする請求項１乃至１８の何れかに記載の方法。
【請求項２０】
前記第１の送信機は、無線ネットワーク制御装置であることを特徴とする請求項１乃至１９の何れかに記載の方法。
【請求項２１】
前記受信機は、ユーザ装置であることを特徴とする請求項１乃至２０の何れかに記載の方法。
【請求項２２】
前記通信システムは、ユニバーサル移動通信システムまたはＷＣＤＭＡシステムであることを特徴とする請求項１乃至１７の何れかに記載の方法。
【請求項２３】
送信側と受信側との間にある再送ループには２以上の連続的な再送サブループらが含まれている通信システムにおいて再送を実行するネットワーク構成要素であって、前記ネットワーク構成要素は、第１の送信機と、第２の送信機からステータス変数を搬送する信号を受信する受信手段とを含み、該ステータス変数は、該受信機によってアクノレッジされることが期待されている次の順番にあたるパケットユニットのシーケンス番号を示し、前記ステータス変数を搬送する信号は、ハンドオーバに関連して送信されることを特徴とするネットワーク構成要素。
【請求項２４】
前記第２の送信機から初めて送信される次の順番にあたるパケットユニットのシーケンス番号を示しているステータス変数を搬送する信号を該第２の送信機から受信する受信手段を含むことを特徴とする請求項２３に記載のネットワーク構成要素。
【請求項２５】
否定的にアクノレッジされたと解釈されたパケットユニットを第３の送信機へと送信する送信手段をさらに含むことを特徴とする請求項２３または２４に記載のネットワーク構成要素。
【請求項２６】
送信側と受信側との間にある再送ループには２以上の連続的な再送サブループらが含まれている通信システムにおいて再送を実行するネットワーク構成要素であって、前記ネットワーク構成要素は、第２の送信機と、ステータス変数を搬送する信号を第１の送信機へと送信する送信手段とを含み、該ステータス変数は、受信機によってアクノレッジされることが期待されている次の順番にあたるパケットユニットのシーケンス番号を示し、前記ステータス変数を搬送する信号は、ハンドオーバに関連して送信されることを特徴とするネットワーク構成要素。
【請求項２７】
前記第２の送信機から初めて送信される次のパケットユニットのシーケンス番号を示すステータス変数を搬送する信号を送信する送信手段をさらに含むことを特徴とする請求項２６に記載のネットワーク構成要素。
【請求項２８】
１以上の前記ステータス変数を搬送する前記信号は、前記ネットワーク構成要素と前記受信機との間にあるチャネルをハンドオーバする際に送信されることを特徴とする請求項２６に記載のネットワーク構成要素。
【請求項２９】
通信システムの通信チャネル上で送信信号または再送信号を受信する受信装置であって、２以上の連続的な再送サブループらを含む再送ループが送信側と前記受信装置との間に存在し、前記受信装置は、自己の受信ステータスを搬送するための一以上の信号をネットワーク構成要素へと送信する送信手段を含み、前記受信ステータスを搬送する一以上の信号は、ハンドオーバに関連して送信されることを特徴とする受信装置。
【請求項３０】
前記受信ステータスは、前記ネットワーク構成要素の送信ステータスを更新するために送信されることを特徴とする請求項２９に記載の受信装置。
【請求項３１】
ハンドオーバの際に前記ネットワーク構成要素へと前記受信ステータスを送信する送信手段をさらに含むことを特徴とする請求項２９または３０に記載の受信装置。
【請求項３２】
請求項１乃至２２の何れかに記載された方法を実行する手段を含むことを特徴とする無線通信システム。
【請求項３３】
請求項２３乃至２８の何れかに記載されたネットワーク構成要素を複数含むことを特徴とする無線通信システム。
【請求項３４】
請求項２９乃至３１の何れかに記載された受信装置を複数含むことを特徴とする無線通信システム。